(57)【要約】　　　（修正有）【課題】エアコンの吹き出し口の幅に対応して風向制御面積を調整できると共に、調整機能を備えることによって新たに生ずる課題（制御面が受ける抵抗の増大、面積調整の操作性）を解決した新規な器具を提供する。【解決手段】エアコン吹き出し口近傍に装着される板状の装着部１と、所定の大きさに形成した細長の約長方形状の風向制御板部２と、装着部と風向制御板部とを連結する連結腕３を備え、装着部及び風向制御板部と連結腕との各連結箇所に、所定の角度を選択して保持できる関節機構４を介設してなる構成を備えたエアコン吹き出し口用風向制御板において、風向制御板部２に、風向制御板部に重合状態で収納され、風向制御板部の長手方向外方へ突出するスライド板５を付設してなり、スライド板が所定の突出した状態で、制御板本体２１の透窓が開口するようにした。【選択図】　図１
0003098996.tif 000002
【実用新案登録請求の範囲】
【請求項１】
エアコン吹き出し口近傍に装着される板状の装着部と、所定の大きさに形成した細長の約長方形状の風向制御板部と、装着部と風向制御板部とを連結する連結腕を備え、装着部及び風向制御板部と連結腕との各連結箇所に、所定の角度を選択して保持できる関節機構を介設してなる構成であって、前記風向制御板部に重合状態で収納され、風向制御板部の長手方向外方へ突出するスライド板を付設してなることを特徴とするエアコン吹き出し口用風向制御板。
【請求項２】
風向制御板部におけるスライド板収納時のスライド板重合箇所に透窓を形成し、スライド板が所定の突出状態で、前記透窓が開口するようにしてなる請求項１記載のエアコン吹き出し口用風向制御板。
【請求項３】
スライド板の形状を、風向制御板部に重合状態で収納された際に、風向制御板部における連結腕との連結箇所より長手方向外側部分を調整部とし、前記連結箇所を囲む範囲を抉り、当該抉り箇所の短手方向両側をスライド支持部とし、スライド支持部に長手方向への細長溝を穿設し、収納時における細長溝内の最外方位置と対応する風向制御板部に、前記細長溝の長縁に係止される頭部張出形状の係止部を設けてなる請求項１又は２記載のエアコン吹き出し口用風向制御板。
【請求項４】
スライド板の適宜位置に、長手方向が開口しているコの字状の抜き溝を設けて、半島状のクリック係止部を形成し、クリック係止部の先端の制御板部側に突起を設け、スライド板の突出移動における突起の移動範囲に、前記突起が引っ掛かるクリック凹部を移動方向に横列形成してなる請求項３記載のエアコン吹き出し口用風向制御板。
【考案の詳細な説明】
【０００１】
【産業上の利用分野】
本考案は、既存のエアコンからの風の吹き出し方向を制御するためのエアコン吹き出し口用風向制御板に関するものである。
【０００２】
【従来技術】
既存のエアコンの吹き出し口近傍に装着して、吹き出し口からの風を衝突させて風向きを調整制御する器具は従前より知られている。具体的に、登録実用新案第３０５６１１７号公報には、ウイング板（風向制御板）に可動調整手段を備えた挟着クリップを付設した器具が開示されており、また意匠登録第１１０５６５１号公報には、風向制御盤板に所定の角度を選択して保持できる関節機構を介設して連結腕を設け、連結腕に壁面取付部を連設した器具が開示されている。
【０００３】
【考案が解決しようとする課題】
ところで既存のエアコンの吹き出し口の幅は、必ずしも一定してはいない。前記した公知の器具は、所定の大きさにした風向制御板を採用しているもので、種々のエアコンに対する汎用性を有していない。
【０００４】
そこで本考案は、エアコンの吹き出し口の大きさに対応して風向制御面積を調整できると共に、調整機能を備えることによって新たに生ずる課題（制御面が受ける抵抗の増大、面積調整の操作性）を解決した新規なエアコン吹き出し口用風向制御板を提案したものである。
【０００５】
【課題を解決する手段】
本考案に係るエアコン吹き出し口用風向制御板は、エアコン吹き出し口近傍に装着される板状の装着部と、所定の大きさに形成した細長の約長方形状の風向制御板部と、装着部と風向制御板部とを連結する連結腕を備え、装着部及び風向制御板部と連結腕との各連結箇所に、所定の角度を選択して保持できる関節機構を介設してなる構成であって、前記風向制御板部に重合状態で収納され、風向制御板部の長手方向外方へ突出するスライド板を付設してなることを特徴とするものである。
【０００６】
従って装着部を、エアコン本体やエアコン装着箇所近傍の天井面や壁面に固着し、風向制御板をエアコン吹き出し口に臨ませ、連結腕の角度並びに連結腕と風向制御板部との角度を任意に設定し、且つエアコンの吹き出し口の幅に対応してスライド板の突出程度を調整すると、エアコンの風向制御がなされる。
【０００７】
また本考案（請求項２）は、更に風向制御板部におけるスライド板収納時のスライド板重合箇所に透窓を形成し、スライド板が所定の突出状態で、前記透窓が開口するようにしてなるもので、幅を広げてエアコンの吹き出し風を多量に受けることによって、装着部の固定箇所に負担がかからないように、風受け面積を大きくすると、透窓が開口して負担を軽減させる。
【０００８】
更に本考案（請求項３、４）は、スライド板の形状を、風向制御板部に重合状態で収納された際に、風向制御板部における連結腕との連結箇所より長手方向外側部分を調整部とし、前記連結箇所を囲む範囲を抉り、当該抉り箇所の短手方向両側をスライド支持部とし、スライド支持部に長手方向への細長溝を穿設し、収納時における細長溝内の最外方位置と対応する風向制御板部に、前記細長溝の長縁に係止される頭部張出形状の係止部を設けてなるものであり、更にスライド板の適宜位置に、長手方向が開口しているコの字状の抜き溝を設けて、半島状のクリック係止部を形成し、クリック係止部の先端の制御板部側に突起を設け、スライド板の突出移動における突起の移動範囲に、前記突起が引っ掛かるクリック凹部を移動方向に横列形成してなるものである。
【０００９】
従って風向制御板部へのスライド板の取付を容易にし、且つ細長溝によってスライド板のスライド範囲が定められるし、クリック機能を備えることによって、スライド板の突出位置を容易に維持できる。
【００１０】
【実施例】
次に本考案の実施例について説明する。実施例に示したエアコン吹き出し口用風向制御板は、基本的に、装着部１と、風向制御板部２と、２本の連結腕３とを備え、更に装着部１及び風向制御板部２と各連結腕３との各連結箇所に関節機構４を採用してなり、そして特に本考案の特徴であるスライド板５を風向制御板部２に付設したものである。
【００１１】
最初に基本的構成について説明すると、装着部１は、細長の板状体で、装着面に粘着テープ１１を予め貼付しており、装着面裏面適宜位置に関節機構用の連結突部１２を突設してなるものである。
【００１２】
風向制御板２は、所定の大きさに形成した細長の約長方形状の制御板本体２１を有し、前記装着部１の連結突部１２と対応する位置に同様の連結突部２２を設けてなる。
【００１３】
連結腕３は、関節機構４を介設して装着部１と制御板本体２１とを接続させているもので、関節機構４は、連結突部１２，２２の先端側面に形成した放射状噛合面４１と、連結腕の両端側面に形成した放射状噛合面４２と、放射状噛合面の中央透孔を貫通する軸を備えたボルト部４３と、ボルト部４３のネジと螺合するナット部４４と、圧縮発条４５とで構成され、放射状噛合面４１，４２を互いに対面させて噛み合わせ、圧縮発条４５を介装してボルト部４３とナット部４４を螺合緊締してなる。
【００１４】
従って前記の関節機構４によって、装着部１及び制御板本体２１との各連結腕３との連結箇所は、ボルト部４３の軸を中心に、発条４５の力に抗して回動させると、噛み合わせ位置が移動し、各部材を所望の角度で維持させることができる。
【００１５】
本考案の特徴は前記の基本的構造の器具において、特にスライド板５を付設したもので、その詳細について次に説明する。
【００１６】
スライド板５の形状は、前記風向制御板部２の制御板本体２１の裏面（連結突部２２の形成面）に重合状態で収納されるもので、全体の形状が、収納時に連結突部２２を囲み内方が開口している抉りとなっているもので、長手方向外側部分を制御板本体２１から突出する調整部５１とし、当該抉り箇所の短手方向両側をスライド支持部５２としてなる。
【００１７】
更にスライド支持部５２には、長手方向への細長溝５３を穿設し、抉り箇所の底部分となる位置に、長手方向が開口しているコの字状の抜き溝５４を設けて、半島状のクリック係止部５５を形成し、このクリック係止部５５の先端の制御板本体２１面側に突起５６を設け、更に細長溝５３の長手方向中心線側に透窓５７を穿設してなる。
【００１８】
制御板部２においては、前記スライド板５を重合状態に保持するために、長手方向端縁にスライド板５の側縁を挟み込む庇部２３と、スライド板５の収納時における細長溝５３内の最外方位置と対応する位置に、前記細長溝５３の長縁に係止される頭部張出形状の係止部２４を設けてなる。
【００１９】
またスライド板５を突出させるために移動させた際の、突起５６の移動範囲に、前記突起５６が引っ掛かるクリック凹部２５を突起移動方向に横列形成し、更にスライド板最大突出時における透窓５７位置に、透窓２６を設けてなる。
【００２０】
而して前記エアコン吹き出し口用風向制御板は、装着部１を、エアコン本体やエアコン装着箇所近傍の天井面や壁面に固着し（粘着テープ以外にビス止めでも良い）、制御板本体２１をエアコン吹き出し口Ａに臨ませ、装着部１と連結腕３の角度、並びに連結腕３と制御板本体２１との角度を、関節機構４の回動操作で任意に設定することができるので、エアコンの風向制御を容易に行うことができる。
【００２１】
また本考案の特徴であるスライド板５の突出調整で、エアコンの吹き出し口の幅に対応して風向調整ができたもので、特に前記スライド操作において、細長溝５３と係止部２４の係止は、スライド板５を制御板本体２１に簡単に組み込むことができる構造で、且つスライド範囲を細長溝５３で制限されることになって、スライド板５の不測な突出移動によってスライド板５が離脱する恐れも無い。
【００２２】
更にスライド板５を大きく突出させて、エアコンの吹き出し風を大きく受けても、透窓２６，５７が重なり開口することになって、一部の風を逃がすことによって制御板本体２１及びスライド板５の調整部５１が受ける力を軽減し、装着部１の取り付け部分への負担を少なくし器具が壁面から離脱しないようにしている。
【００２３】
またスライド板５のスライド移動に際しては、半島状のクリック係止部５５が自己の弾性で先端部分が制御板本体２１方向への離脱復帰動作がなされるので、突起５６がクリック凹部２５に係止することで、所定のクリック機能を備えることになり、スライド板５の突出位置調製を容易に行える。
【００２４】
【考案の効果】
以上のように本考案は、エアコン吹き出し口近傍に装着される装着部と、約長方形状の風向制御板部と、装着部と風向制御板部とを連結すると共に所定の角度で保持できる関節機構を介装した連結腕とを備えた構成であって、前記風向制御板部に、風向制御板部に重合状態で収納され、長手方向に風向制御板部の長手方向外方へ突出するスライド板を付設してなるエアコン吹き出し口用風向制御板で、風向制御板をエアコン吹き出し口に臨ませて器具を固定することで、連結腕の角度並びに連結腕と風向制御板部との角度を任意に設定し、且つエアコンの吹き出し口の幅に対応してスライド板の突出程度を調整することで、エアコンの風向制御を行うことができたものである。
【図面の簡単な説明】
【図１】本考案の実施例を示す全体斜視図。
【図２】同使用状態の説明図。
【図３】同スライド板説明図（全突出状態）。
【図４】同クリック機構の説明図。
【図５】同連結腕及び関節機構の説明図。
【図６】同関節機構の分解説明図。
【符号の説明】
１　　　　装着部
１１　　　粘着テープ
１２　　　連結突部
２　　　　風向制御板
２１　　　制御板本体
２２　　　連結突部
２３　　　庇部
２４　　　係止部
２５　　　クリック凹部
２６　　　透窓
３　　　　連結腕
４　　　　関節機構
４１，４２　　放射状噛合面
４３　　　ボルト部
４４　　　ナット部
４５　　　圧縮発条
５　　　　スライド板
５１　　　調整部
５２　　　スライド支持部
５３　　　細長溝
５４　　　抜き溝
５５　　　クリック係止部
５６　　　突起
５７　　　透窓
【図１】
0003098996.tif 000003
【図２】
0003098996.tif 000004
【図３】
0003098996.tif 000005
【図４】
0003098996.tif 000006
【図５】
0003098996.tif 000007
【図６】
0003098996.tif 000008